(57)【特許請求の範囲】
【請求項１】
情報の配信元の伝送装置である配信サーバと、配信先のユーザ装置と接続されるユーザ側伝送装置を備えた伝送網システムであって、
前記配信サーバは、
開示対象情報、開示時刻情報、配信時刻情報、を対応して記憶する配信情報テーブルと、
第１計時機能及び該第１計時機能の時刻を基準となる時計と合わせる第１時刻同期機能と
を備え、
前記ユーザ側伝送装置は、
開示対象情報、開示時刻情報を対応して記憶する開示情報テーブルと、
第２計時機能及び該第２計時機能の時刻を基準となる時計と合わせる第２時刻同期機能と、
を備え、
前記配信サーバは、前記第１計時機能による時刻及び前記配信情報テーブルを参照して、開示対象情報及び開示時刻情報を、配信時刻情報に従い、予め前記ユーザ側伝送装置に送信し、
前記ユーザ側伝送装置は、前記配信サーバから受信した開示対象情報及び開示時刻情報を、前記開示情報テーブルに記憶し、
前記ユーザ側伝送装置は、前記開示情報テーブルを参照して、前記第２計時機能の時刻が前記開示時刻情報による時刻と一致する以前に、任意の時刻に送信可能な一般情報の送信を停止し、前記第２計時機能の時刻が前記開示時刻情報による時刻と一致した場合に、前記開示対象情報を前記ユーザ装置に送信し、前記開示対象情報の送信が完了すると、停止した前記一般情報の送信を再開する
ことを特徴とする伝送網システム。
【請求項２】
請求項１に記載の伝送網システムであって、
前記配信情報テーブルは、各エントリに対して、さらに宛先ユーザ側伝送装置情報を記憶し、
前記配信サーバは、
前記ユーザ装置から、開示対象情報を特定する情報と、ユーザ側伝送装置情報若しくはユーザ装置情報とを含む事前要求を受信し、
前記事前要求に基づき、ユーザ側伝送装置情報若しくはユーザ装置情報を、前記配信情報テーブルの該当するエントリの宛先ユーザ側伝送装置情報に記憶し、
前記配信情報テーブルを参照して、開示対象情報及び開示時刻情報の送信先とする前記ユーザ側伝送装置若しくはユーザ装置情報を決定して、配信時刻情報による時刻に従い、開示対象情報及び開示時刻情報を送信することを特徴とする伝送網システム。
【請求項３】
請求項１又は２に記載の伝送網システムであって、
前記配信サーバから開示対象情報及び開示時刻情報を前記ユーザ側伝送装置に送信する際に、開示対象情報及び／又は開示時刻情報を暗号化して送信し、前記ユーザ側伝送装置で該開示対象情報及び／又は開示時刻情報を受信時に復号化することを特徴とする伝送網システム。
【請求項４】
請求項１乃至３のいずれかに記載の伝送網システムであって、
前記配信情報テーブルは、各エントリに対して、さらに、宛先ユーザ側伝送装置情報及び受付応答情報を記憶し、
前記開示情報テーブルは、各エントリに対して、さらに、開示処理可否情報を記憶し、
前記ユーザ側伝送装置は、前記配信サーバからの開示対象情報及び開示時刻情報を受信した際、該開示対象情報及び開示時刻情報についての開示処理の可否を判断し、前記開示情報テーブルの該当するエントリに開示処理可否情報を記憶し、開示処理可否情報を含む応答を前記配信サーバ宛に送信し、
前記配信サーバは、
前記ユーザ側伝送装置からの開示処理可否情報を含む応答に基づき、前記配信情報テーブルの該当するエントリに受付応答情報を記憶し、
前記配信情報テーブルを参照し、各開示対象情報及び開示時刻情報に該当する、ひとつ又は複数の宛先ユーザ側伝送装置情報及び受付応答情報に従い、開示処理の実行または延期または中止を判定し、開示処理の実行または延期または中止の前記情報を前記ユーザ側伝送装置に送信し、
前記ユーザ側伝送装置は、前記配信サーバからの開示処理の実行または延期または中止の前記情報に基づき、開示対象情報の送信の実行または延期または中止の処理を行うことを特徴とする伝送網システム。
【請求項５】
請求項４に記載の伝送網システムであって、
前記ユーザ側伝送装置は、前記配信サーバからの開示対象情報及び開示時刻情報を受信した際、前記開示情報テーブルを参照し、既に受信した他の開示対象情報及び開示時刻情報による開示処理実施予定と比較し、開示時刻が同一もしくは差が予め定めた値より小さい場合に該情報の開示処理可否を否とした開示処理可否情報を応答することを特徴とする伝送網システム。
【請求項６】
請求項１乃至５のいずれかに記載の伝送網システムであって、
前記ユーザ側伝送装置は、前記配信サーバからの開示対象情報及び開示時刻情報を受信した際、該開示時刻を含む情報を事前通知情報として該開示時刻以前に前記ユーザ装置宛に送信し、
前記ユーザ装置は受信した該事前通知情報に基づき、予め開示対象情報の受信に備えるための処理を実行することを特徴とする伝送網システム。
【請求項７】
請求項４又は５に記載の伝送網システムであって、
前記ユーザ側伝送装置は、前記配信サーバから受信した開示対象情報及び開示時刻報を元に前記ユーザ装置への事前通知情報の送信を行い、
前記ユーザ装置は、該事前通知情報を受信した際、前記ユーザ側伝送装置宛に事前通知受信応答の送信を行い、
前記ユーザ側伝送装置は、前記ユーザ装置への前記事前通知情報送信後、一定時間以内に前記事前通知受信応答がない場合に、前記配信サーバ宛に該情報の開示処理可否を否とした開示処理可否情報を応答することを特徴とする伝送網システム。
【請求項８】
請求項１に記載の伝送網システムであって、
前記情報は、
開示時刻情報に基づき開示処理を行うべき開示対象情報と、伝送網内から前記ユーザ装置宛に時刻の指定なく送信され、任意の時刻に前記ユーザ装置宛に送信可能な前記一般情報とに分類される
ことを特徴とする伝送網システム。
【請求項９】
情報の配信元の伝送装置である配信サーバと、配信先のユーザ装置と接続されるユーザ側伝送装置を備えた伝送網システムにおける伝送方法において、
前記配信サーバは、
開示対象情報、開示時刻情報、配信時刻情報、を対応して記憶する配信情報テーブルと、
第１計時機能及び該第１計時機能の時刻を基準となる時計と合わせる第１時刻同期機能と
を備え、
前記ユーザ側伝送装置は、
開示対象情報、開示時刻情報を対応して記憶する開示情報テーブルと
第２計時機能及び該第２計時機能の時刻を基準となる時計と合わせる第２時刻同期機能と
を備え、
前記第１計時機能による時刻及び前記配信情報テーブルを参照して、開示対象情報及び開示時刻情報を、配信時刻情報に従い、予め前記ユーザ側伝送装置に送信する第１のステップと、
受信した開示対象情報及び開示時刻情報を、前記開示情報テーブルに記憶する第２のステップと、
前記開示情報テーブルを参照して、前記第２計時機能の時刻が前記開示時刻情報による時刻と一致する以前に、任意の時刻に送信可能な一般情報の送信を停止する第３ステップと、
前記第２計時機能の時刻が前記開示時刻情報による時刻と一致した場合に、前記開示対象情報を前記ユーザ装置に送信する第４のステップと、
前記開示対象情報の送信が完了すると、停止した前記一般情報の送信を再開する第５のステップ
を含むことを特徴とする伝送方法。
【請求項１０】
情報の配信先のユーザ装置と接続される伝送装置であって、
開示対象情報、開示時刻情報を対応して記憶する開示情報テーブルと
計時機能及び該計時機能の時刻を基準となる時計と合わせる時刻同期機能と、
前記開示時刻情報に基づき開示する時刻を指定された前記開示対象情報と任意の時刻に送信可能な一般情報とを前記ユーザ装置に対して送信する処理部と、
外部から受信した開示対象情報と開示時刻情報を前記開示情報テーブルに記録し、前記計時機能の時刻と前記開示時刻情報による時刻とを比較する制御部と
を備え、
前記制御部は、前記開示情報テーブルを参照して、前記計時機能の時刻が前記開示時刻情報による時刻と一致する以前に、前記ユーザ装置に対する前記一般情報の送信の停止を前記処理部に指示し、前記計時機能の時刻が前記開示時刻情報による時刻と一致した場合に、前記ユーザ装置に対する前記開示対象情報の送信を前記処理部に指示し、前記開示対象情報の送信が完了すると、停止した前記一般情報の送信の再開を前記処理部に指示する
ことを特徴とする伝送装置。
【発明の詳細な説明】
【技術分野】
【０００１】
本発明は、伝送装置及び伝送網システム、伝送方法に係り、特に、ある情報を複数のユーザに同時に開示する機能を備える伝送装置及び伝送網システム、伝送方法に関する。
【背景技術】
【０００２】
近年、インターネットや専用線などの伝送網を用いた情報伝送は商取引などの経済活動の分野にも広く用いられており、経済活動に影響を与え得るニュースや取引を開始するための認証鍵などの重要な情報をユーザに開示する際に、ユーザ毎の情報開示時刻の差を低減する事による公平性の向上が求められている。
【０００３】
従来の一般的な伝送網において情報の同時開示を目的とする方式として、プッシュ型サービスの場合はある時刻にサーバから一斉に情報を配信する方式があるが、各ユーザが情報を受け取る時刻は伝送網の混雑状況等に大きく左右されるため公平とは言えない。また、ユーザからの要求に応じて情報を開示するプル型サービスの場合は、ある時刻からサーバを情報開示の応答可能とする方式があるが、サーバから近距離で大容量の伝送網を使用するユーザの方が一定時間内に多くの要求試行を行えるため有利となる。
【０００４】
このようなユーザ間の情報開示時刻の差を低減するための技術として、特開２０００−１８７６２９公報（特許文献１）がある。この公報には、「［課題］ユーザに対する情報の伝達時刻を厳密に保証した情報配信サービスを提供する。［解決手段］  ＩＰサーバＷおよびゲートウェイサーバＧＷＳ、あるいはゲートウェイサーバＧＷＳのみで構成される配信側は、電子メールの着信先のユーザに当該電子メール本文を伝達する時刻である伝達時刻と当該電子メール本文とを対応付けて送信し、受信側の移動機ＭＳは、配信側から送信された伝達時刻および電子メール本文を受信し、当該伝達時刻と現在時刻とに基づいて当該電子メール本文を用いた処理（例えば電子メール本文の表示処理）の開始を制御する。これにより、受信側において、伝達時刻まで電子メール本文を用いた処理を行わない、あるいは伝達時刻に電子メール本文を用いた処理を開始する、といった制御が可能となる。」と記載されている（要約参照）。
【０００５】
また、特開２００６−７４１０９公報（特許文献２）がある。この公報には、「［課題］汎用のハードウェアとソフトウェアとネットワークとで各クライアントに同時にデータを開示して、ユーザ間の不公平性を解消する。［解決手段］  内部に付加ソフトウェア内部タイマ機能部１０４を設けて、ブラウザ１０６とネットワーク１０７との間にあって、サーバ１０１と第１と第２のユニキャスト・コネクション１０８，１０９を確立する付加ソフトウェア実行部１０３を備えて、付加ソフトウェア実行部は、ブラウザからサーバへのデータ配送要求を所定の時刻に送信し（１５２）、サーバからの配信データを第１のユニキャスト・コネクションで受信して一時蓄積し（１５４）、サーバからの第２のユニキャスト・コネクションによるサーバ時刻と配信データ開示時刻を付加ソフトウェア内部タイマ機能部に設定し（１５４）、設定された開示時刻になると、配信データをブラウザに送信する（１５５）。」と記載されている（要約参照）。
【０００６】
一方、伝送網内の装置の時刻を同期させるための技術として、ＮＴＰ（Ｎｅｔｗｏｒｋ  Ｔｉｍｅ  Ｐｒｏｔｏｃｏｌ）やＩＥＥＥ１５８８ｖ２／ＰＴＰ（Ｐｒｅｃｉｓｉｏｎ  Ｔｉｍｅ  Ｐｒｏｔｏｃｏｌ）が知られている。いずれの技術も安定した時刻を提供するサーバと、サーバの時刻を追従するクライアントとの間での時刻同期方式を規定したものである。時刻同期の精度は実装方式にも依るが、ＮＴＰではミリ秒オーダー、ＩＥＥＥ１５８８ｖ２／ＰＴＰではマイクロ秒オーダーと言われている。
【先行技術文献】
【特許文献】
【０００７】
【特許文献１】特開２０００−１８７６２９号公報
【特許文献２】特開２００６−７４１０９号公報
【発明の概要】
【発明が解決しようとする課題】
【０００８】
伝送網及び伝送装置を用いて経済活動において大きな意味を持つ情報の複数ユーザへの一斉開示を行うような場合に、ユーザ毎の情報開示時刻の差を低減する事による公平性の向上が求められている。
ユーザ毎の情報開示時刻の差を低減する技術として、特許文献１及び特許文献２が公知であるが、特許文献１は伝達時刻情報を元にした伝達制御を行う移動機と他移動機との間の時刻同期制御については言及しておらず、ユーザ毎の情報開示時刻の差に直接影響する同期精度については不明である。また、ユーザによる移動機現在時刻の設定変更により、他ユーザよりも早く情報開示を受ける事が可能であると考えられる。特許文献２については、サーバとクライアント間の時刻同期方式が記載されているが、サーバ現在時刻を含む情報をクライアントで受信した時に、クライアント上の付加ソフトウェア内蔵タイマを受信したサーバ現在時刻に合わせる方式であり、クライアント間の時刻同期精度は、サーバから各クライアントへの情報伝送にかかる時間の差に左右される。また、クライアントで情報を受信した後にソフトウェアで情報開示制御を行うため、設定された情報開示時刻よりも前に情報が覗き見られる危険性がある。
【０００９】
以上を鑑み、本発明は、伝送網及び伝送装置を用いて複数ユーザへ情報の開示を行う際の、ユーザ毎の情報開示時刻の差を低減する事による公平性の向上を、ひとつの目的とする。特に、高精度（マイクロ秒オーダー）の時刻同期方式と情報開示制御を組み合わせ、高精度の情報開示時刻制御方式を提供する事を、他の目的とする。また、情報開示時刻制御に対し、ユーザが不正に影響を与え得ない方式を提供する事を、他の目的とする。
【課題を解決するための手段】
【００１０】
上記課題を解決するために、例えば特許請求の範囲に記載の構成を採用する。本願は上記課題を解決する手段を複数含んでいるが、その一例を挙げるならば、
「  情報の配信元の伝送装置である配信サーバと、配信先のユーザ装置と接続されるユーザ側伝送装置により構成される伝送網システムであって、
前記配信サーバと前記ユーザ側伝送装置はそれぞれ計時機能及び、該計時機能の時刻を基準となる時計と合わせる時刻同期機能を備え、
開示対象の情報とその開示時刻の情報を予め前記配信サーバから前記ユーザ側伝送装置に送信する処理と、
前記ユーザ側伝送装置における計時機能の時刻が前記開示時刻と一致した場合に開示対象の情報を前記ユーザ装置に送信する処理とを特徴とする伝送網システム。」
を特徴とすることができる。
【００１１】
本発明の第１の解決手段によると、
情報の配信元の伝送装置である配信サーバと、配信先のユーザ装置と接続されるユーザ側伝送装置を備えた伝送網システムであって、
前記配信サーバは、
開示対象情報、開示時刻情報、配信時刻情報、を対応して記憶する配信情報テーブルと、
第１計時機能及び該第１計時機能の時刻を基準となる時計と合わせる第１時刻同期機能と
を備え、
前記ユーザ側伝送装置は、
開示対象情報、開示時刻情報を対応して記憶する開示情報テーブルと、
第２計時機能及び該第２計時機能の時刻を基準となる時計と合わせる第２時刻同期機能と、
を備え、
前記配信サーバは、前記第１計時機能による時刻及び前記配信情報テーブルを参照して、開示対象情報及び開示時刻情報を、配信時刻情報に従い、予め前記ユーザ側伝送装置に送信し、
前記ユーザ側伝送装置は、前記配信サーバから受信した開示対象情報及び開示時刻情報を、前記開示情報テーブルに記憶し、
前記ユーザ側伝送装置は、前記開示情報テーブルを参照して、前記第２計時機能の時刻が前記開示時刻情報による時刻と一致する以前に、任意の時刻に送信可能な一般情報の送信を停止し、前記第２計時機能の時刻が前記開示時刻情報による時刻と一致した場合に、前記開示対象情報を前記ユーザ装置に送信し、前記開示対象情報の送信が完了すると、停止した前記一般情報の送信を再開する
ことを特徴とする伝送網システムが提供される。
【００１２】
本発明の第２の解決手段によると、
情報の配信元の伝送装置である配信サーバと、配信先のユーザ装置と接続されるユーザ側伝送装置を備えた伝送網システムにおける伝送方法において、
前記配信サーバは、
開示対象情報、開示時刻情報、配信時刻情報、を対応して記憶する配信情報テーブルと、
第１計時機能及び該第１計時機能の時刻を基準となる時計と合わせる第１時刻同期機能と
を備え、
前記ユーザ側伝送装置は、
開示対象情報、開示時刻情報を対応して記憶する開示情報テーブルと
第２計時機能及び該第２計時機能の時刻を基準となる時計と合わせる第２時刻同期機能と
を備え、
前記第１計時機能による時刻及び前記配信情報テーブルを参照して、開示対象情報及び開示時刻情報を、配信時刻情報に従い、予め前記ユーザ側伝送装置に送信する第１のステップと、
受信した開示対象情報及び開示時刻情報を、前記開示情報テーブルに記憶する第２のステップと、
前記開示情報テーブルを参照して、前記第２計時機能の時刻が前記開示時刻情報による時刻と一致する以前に、任意の時刻に送信可能な一般情報の送信を停止する第３ステップと、
前記第２計時機能の時刻が前記開示時刻情報による時刻と一致した場合に、前記開示対象情報を前記ユーザ装置に送信する第４のステップと、
前記開示対象情報の送信が完了すると、停止した前記一般情報の送信を再開する第５のステップ
を含むことを特徴とする伝送方法が提供される。
【００１３】
本発明の第３の解決手段によると、
情報の配信先のユーザ装置と接続される伝送装置であって、
開示対象情報、開示時刻情報を対応して記憶する開示情報テーブルと
計時機能及び該計時機能の時刻を基準となる時計と合わせる時刻同期機能と、
前記開示時刻情報に基づき開示する時刻を指定された前記開示対象情報と任意の時刻に送信可能な一般情報とを前記ユーザ装置に対して送信する処理部と、
外部から受信した開示対象情報と開示時刻情報を前記開示情報テーブルに記録し、前記計時機能の時刻と前記開示時刻情報による時刻とを比較する制御部と
を備え、
前記制御部は、前記開示情報テーブルを参照して、前記計時機能の時刻が前記開示時刻情報による時刻と一致する以前に、前記ユーザ装置に対する前記一般情報の送信の停止を前記処理部に指示し、前記計時機能の時刻が前記開示時刻情報による時刻と一致した場合に、前記ユーザ装置に対する前記開示対象情報の送信を前記処理部に指示し、前記開示対象情報の送信が完了すると、停止した前記一般情報の送信の再開を前記処理部に指示する
ことを特徴とする伝送装置が提供される。
【発明の効果】
【００１４】
本発明によると、伝送網及び伝送装置を用いて複数ユーザへ情報を開示する際の、ユーザ毎の情報開示時刻の差を低減する事による公平性の向上が可能となる。また、情報開示時刻制御に対し、ユーザが不正に手を加える事を防止する事が可能となる。ある実施の形態によっては、プッシュ型サービスにおけるユーザ毎の情報開示時刻差の低減を実現する。ある実施の形態によっては、プル型サービスにおけるユーザ毎の情報開示時刻差の低減を実現する。ある実施の形態によっては、ユーザ毎の情報開示時刻差低減方式における、伝送網内を伝送する情報の秘匿性向上を実現する。ある実施の形態によっては、ユーザ毎の情報開示時刻差低減方式における、伝送網または伝送装置の故障時の公平性の維持を実現する。ある実施の形態によっては、ユーザ毎の情報開示時刻差低減方式における、ユーザ装置での情報受信時状態の公平性向上を実現する。ある実施の形態によっては、ユーザ毎の情報開示時刻差低減方式における、ユーザ装置故障時の公平性の維持を実現する。
【図面の簡単な説明】
【００１５】
【図１】本発明の実施の形態１で記載される伝送網システムの構成例を示す図である。
【図２】図１の各装置の動作を説明する図である。
【図３】図２の装置間の処理を示すシーケンス図である。
【図４】ネットワーク端末１２０の機能ブロック図である。
【図５】本発明の実施の形態２で記載される伝送網システムの動作を説明する図である。
【図６】図５の装置間の処理を示すシーケンス図である。
【図７】本発明の実施の形態３で記載される伝送網システムの動作を説明する図である。
【図８】本発明の実施の形態４で記載される伝送網システムの動作を説明する図である。
【図９】図８の装置間の処理を示すシーケンス図である。
【図１０】本発明の実施の形態５で記載される伝送網システムの動作を説明する図である。
【図１１】図１０の装置間の処理を示すシーケンス図である。
【図１２】本発明の実施の形態６で記載される伝送網システムの動作を説明する図である。
【図１３】図１２の装置間の処理を示すシーケンス図である。
【図１４】図２の配信情報テーブル１１０１の詳細を示す図である。
【図１５】図２の配信情報テーブル１１０１の別例１１０１Ａの詳細を示す図である。
【図１６】図２の開示情報テーブル１２０１の詳細を示す図である。
【図１７】図８のネットワーク端末４２０の開示対象情報及び開示時刻情報受信時の動作を示すフローチャートである。
【図１８】図８の情報出力サーバ４１０の動作を示すフローチャートである。
【図１９】図８のネットワーク端末４２０の開示時刻到達時の動作を示すフローチャートである。
【図２０】図８の配信情報テーブル４１０１の詳細を示す図である。
【図２１】図８の開示情報テーブル４２０１の詳細を示す図である。
【図２２】図１３のネットワーク端末６２０の動作を示すフローチャートである。
【発明を実施するための形態】
【００１６】
以下、実施の形態を図面を用いて説明する。
１．実施の形態１
本実施の形態では、ネットワーク端末及び伝送網を介して情報出力サーバと接続される複数のユーザ装置に対して、情報出力サーバからプッシュ型サービスで同時に情報開示を行う伝送網システムの例を説明する。
【００１７】
図１は、本実施の形態に記載される伝送網システムの構成例を示す図である。本図においてユーザ装置１３０−１〜１３０−ｎは、それぞれネットワーク端末（ユーザ側伝送装置）１２０−１〜１２０−ｎおよび伝送網４０を介して情報出力サーバ（配信サーバ）１１０に接続される。情報出力サーバ１１０及びネットワーク端末１２０−１〜１２０−ｎは、伝送網４０を介して時刻同期用基準時計５０と時刻同期を行う機能を備え、情報出力サーバ１１０の内蔵時計１１００及びネットワーク端末１２０−１〜１２０−ｎの内蔵時計１２００−１〜１２００−ｎは、時刻同期用基準時計５０の時刻と、例えば、ＩＥＥＥ１５８８ｖ２／ＰＴＰ相当の時刻同期精度で同期関係が確立されるものとする。なお、本図においては開示対象情報や開示時刻情報の伝送と時刻同期用の信号の伝送は同一の伝送網４０を介して行うものとしたが、異なる伝送網を介して実施するものとしても良い。なお、開示時刻情報は、例えば、開示対象情報を開示する時刻を表す。
【００１８】
本伝送網システムを用いて、ある開示時刻において開示対象情報をユーザ装置１３０−１〜１３０−ｎに開示する場合の手順を以下に述べる。
情報出力サーバ１１０はネットワーク端末１２０−１〜１２０−ｎに対して、予め開示対象情報及び開示時刻情報１０００を送信する。開示対象情報及び開示時刻情報１０００を受信したネットワーク端末１２０−１〜１２０−ｎは、それぞれの内蔵時計１２００−１〜１２００−ｎの時刻が、受信した開示時刻情報により示された開示時刻に達するまで開示対象情報を保持し、開示時刻に達するとそれぞれに接続されたユーザ装置１３０−１〜１３０−ｎに対して開示対象情報の送信を行う。
本伝送網システムを用いる事により、各ユーザ装置へ開示対象情報を送信する開示時刻を高精度（例、マイクロ秒オーダー、ナノ秒オーダー等）で合わせる事が可能となり、各ユーザの公平性向上を実現する。
【００１９】
図２は、図１の伝送網システムを構成する各装置の動作を説明する図である。情報出力サーバ１１０は、情報出力サーバ内蔵時計１１００、配信情報テーブル１１０１、及び伝送網と接続され情報の送受信処理を行う図示しない送受信処理部を備える。配信情報テーブル１１０１は図１４に示す通り、開示対象情報、開示時刻情報、及び配信時刻情報の集合により構成され、例えば、外部からの配信処理要求受付時またはネットワーク端末への開示対象情報及び開示時刻情報送信時に更新される。本実施の形態においては、開示対象情報の管理形態の一例として開示対象情報ＩＤ、開示対象情報種別、開示対象情報データにより構成される開示対象情報を管理するものとする。なお、開示対象情報の識別・特定は、開示対象情報ＩＤ、開示対象情報種別、開示対象情報データのうちいずれかひとつ又は複数のデータで行うことができる。例えば、開示対象情報ＩＤで識別・特定してもよいし、開示対象情報種別及び／又は開示対象情報データで識別・特定するようにしてもよい。配信時刻は情報出力サーバがネットワーク端末１２０宛に開示対象情報及び開示時刻情報の送信を行う時刻を指し、それぞれの開示時刻の一定時間前としても良いし、開示対象情報毎に個別に設定しても良い。情報出力サーバ１１０は情報出力サーバ内蔵時計１１００の時刻が配信情報テーブルのいずれかの配信時刻に達すると対応する開示対象情報及び開示時刻情報の送信を行う（Ｓ−１１０）。
【００２０】
図１５は、図２の配信情報テーブル１１０１の別例１１０１Ａの詳細を示す図である。なお、上記では情報開示の対象を接続される全てのユーザと想定しているが、開示対象情報毎に予め設定された宛先ネットワーク端末を開示対象情報及び開示時刻情報の送信宛先としても良い。その場合、図１５に示す通り、配信情報テーブル１１０１に宛先ネットワーク端末情報が追加された配信情報テーブル１１０１Ａを使用し、該情報に基づき開示対象情報及び開示時刻情報の送信を行う。
ネットワーク端末１２０はネットワーク端末内蔵時計１２００、開示情報テーブル１２０１、及び伝送網と接続され情報の送受信処理を行う図示しない送受信処理部を備える。
【００２１】
図１６は、図２の開示情報テーブル１２０１の詳細を示す図である。開示情報テーブル１２０１は図１６に示す通り、開示対象情報、開示時刻情報の集合により構成され、例えば、情報出力サーバ１１０からの開示対象情報及び開示時刻情報受信時またはユーザ装置１３０への開示対象情報送信時に更新される。なお、開示対象情報、開示時刻情報の内容は、図１５と同様である。ネットワーク端末１２０はネットワーク端末内蔵時計１２００の時刻が開示情報テーブル１２０１のいずれかの開示時刻に達すると、ユーザ装置１３０宛に対応する開示対象情報の送信を行う（Ｓ−１２０）。
ユーザ装置１３０はネットワーク端末１２０からの開示対象情報受信時に、該情報を用いた処理を実施する（Ｓ−１３０）。該情報を用いた処理内容については本発明及び本実施の形態においては特に規定しないが、ユーザインタフェース上への情報の表示や、該情報を用いたアプリケーションの起動・操作等の処理が想定される。
【００２２】
図３は、図２の装置間の処理を示すシーケンス図である。本図を用いて、情報出力サーバ１１０からユーザ装置１３０に情報開示を行う際の一連の処理を説明する。情報出力サーバ１１０はＳ−１１００により配信情報テーブル１１０１に基づく開示対象情報及び開示時刻情報の生成を行う。情報出力サーバ内蔵時計１１００の時刻が配信時刻Ｔ−１０に達すると、Ｓ−１１０１によりネットワーク端末１２０宛に開示対象情報及び開示時刻情報を送信する。ネットワーク端末１２０は開示対象情報及び開示時刻情報を受信すると、
Ｓ−１２００により該情報を開示情報テーブル１２０１に格納する。ネットワーク端末１２０においては開示情報テーブル１２０１とネットワーク端末内蔵時計１２００の現在時刻の比較を行い、Ｓ−１２０１により開示時刻Ｔ−１１まで待機する。現在時刻が開示時刻Ｔ−１１に達するとＳ−１２０２により開示対象情報をユーザ装置１３０宛に送信し、開示情報テーブル１２０１からその情報を削除する。ユーザ装置１３０は、開示対象情報を受信すると、Ｓ−１３００により開示対象情報を元にした情報の表示やアプリケーションの開始・操作などの処理を実施する。
【００２３】
図４は、図１〜３に記載の処理を実現するためのネットワーク端末１２０の機能ブロック図の一例である。ネットワーク端末１２０はネットワーク端末内蔵時計１２００、開示情報テーブル１２０１、送受信処理部１２０２、情報開示制御部１２０３、及び内蔵時計の時刻同期制御を行う時刻同期制御部１２００１を備える。送受信処理部１２０２は、伝送網４０とのインタフェース１２０２０、ユーザ装置側のインタフェース１２０２１、上りフレーム処理部１２０２２、下りフレーム処理部１２０２３を備え、送受信処理を行う。
本実施の形態においては、通常の下りフレームの伝送を行うとともに、開示時刻に開示対象情報の挿入を行う下りフレーム処理部１２０２３と、情報開示制御部１２０３が連携し、開示時刻が高精度に制御された情報開示を実現する。そのための具体的な動作について以下に説明する。
【００２４】
まず、図３に記載のＳ−１２００の動作の実現手順について述べる。情報出力サーバからの開示対象情報及び開示時刻情報を受信した下りフレーム処理部１２０２３は、フレーム識別処理部１２０２３０により、該フレームが開示対象情報及び開示時刻情報を含むフレームであると識別し、開示情報終端処理部１２０２３１に伝達する。開示情報終端処理部１２０２３１は該フレームに含まれる開示対象情報と開示時刻情報を情報開示制御部１２０３のテーブルアクセス処理部１２０３０に伝達する。本情報を受け取ったテーブルアクセス処理部１２０３０は、開示情報テーブル１２０１に該情報を追加する。
【００２５】
次に、図３に記載のＳ−１２０１の動作の実現手順について述べる。テーブルアクセス処理部１２０３０は開示情報テーブル１２０１を一定時間、例えば数秒毎にポーリングし、開示時刻がネットワーク端末内蔵時計１２００の示す現在時刻に最も近いエントリの開示対象情報及び開示時刻情報を次開示情報処理部１２０３１に伝達する（１）。次開示情報処理部１２０３１は該情報を格納するとともに、時刻比較処理部１２０３２に開示時刻情報を伝達する（２）。時刻比較処理部１２０３２は開始時刻情報とネットワーク端末内蔵時計１２００の現在時刻を比較し、一定時間、例えば数秒以内に近づいたら次開示情報処理部１２０３１に格納要求を伝達する（３）。これにより、次開示情報処理部１２０３１は、開示情報挿入処理部１２０２３２に開示対象情報を伝達する（４）。これを受けて開示情報挿入処理部１２０２３２は開示対象情報を保持するとともに、通常フレーム一時保管処理部１２０２３３に対し、通常フレームの送信停止制御を行う（５）。これらの処理により、下りフレーム処理部１２０２３は、開示対象情報の開示時刻が近付くと通常フレームの送信を停止し、開示時刻に達した時に速やかに開示対象情報の挿入が行えるように備える。
【００２６】
次に、図３に記載のＳ−１２０２の動作の実現手順について述べる。時刻比較処理部１２０３２は（３）の処理後、現在時刻が開示時刻と達すると開示情報挿入処理部１２０２３２に対し挿入許可を伝達する（６）。開示情報挿入処理部１２０２３２は、挿入許可を受けると速やかに格納していた開示対象情報の挿入を行う（７）。この挿入処理が完了した時点で、通常フレーム一時保管処理部１２０２３３に対し、送信再開制御を行う（８）とともに、テーブルアクセス処理部１２０３０に対し挿入完了通知を伝達する（９）。挿入完了通知を受けたテーブルアクセス処理部１２０３０は、挿入完了した開示対象情報及び開示時刻情報を、開示情報テーブル１２０１から削除する。
【００２７】
上記のＳ−１２０１，Ｓ−１２０２の動作により、ネットワーク端末１２０の送受信処理部１２０２及び情報開示制御部１２０３は、高精度で制御された開示時刻における開示対象情報のユーザ装置１３０への送信を実現する。また、これらの情報開示制御処理はネットワーク端末１２０内で実施し、また上りフレーム処理とは独立して動作することから、ユーザの不正な加工を予防する事ができる。
【００２８】
２．実施の形態２
本実施の形態では、ネットワーク端末及び伝送網を介して情報出力サーバと接続される複数のユーザ装置に対して、情報出力サーバからプル型サービスで同時に情報開示を行う伝送網システムの例を説明する。本実施の形態での実施の形態１と異なる付加的な要素・動作に関し、図５及び図６を用いて以下に説明する。なお、本実施の形態の伝送網システムの構成は実施の形態１と同様であり、図１に記載のものとする。
【００２９】
図５は、本実施の形態で記載される伝送網システムの動作を説明する図である。本実施の形態では、情報出力サーバからネットワーク端末に開示対象情報及び開示時刻情報を送信する際に、宛先は事前に情報開示要求のあったユーザ装置と接続されるネットワーク端末とする。この動作を実現する情報出力サーバ２１０、ネットワーク端末２２０、ユーザ装置２３０の処理について以下に説明する。
【００３０】
ユーザは特定の時刻に開示される予定の情報に対し、ユーザ装置２３０上で情報開示要求を入力する。この要求は例えば、アプリケーション上で、ネットワーク端末を識別するための宛先ネットワーク端末情報、開示対象情報のＩＤ及び種別を設定し、情報開示要求を送信するような形で実施する。ユーザ装置２３０はその情報開示要求をネットワーク端末２２０を介して情報出力サーバ２１０に伝送する（Ｓ−２１０）。情報出力サーバ２１０は、該開示対象情報の配信時刻の一定時間、例えば数分前までに受けた情報開示要求を元に配信情報テーブル２１０１の宛先ネットワーク端末情報を更新する。配信情報テーブル２１０１は、図１５に示した配信情報テーブル１１０１Ａと同様、開示対象情報、開示時刻情報、宛先ネットワーク端末情報の集合で構成されるものとする。なお、宛先ネットワーク端末情報のかわりにユーザ装置を識別するためのユーザ装置情報を用いてもよい。以後の情報開示に関わる処理Ｓ−２２０，Ｓ−２３０，Ｓ−２４０については、実施の形態１の処理と同様であり、それぞれＳ−１１０，Ｓ−１２０，Ｓ−１３０に対応する。
【００３１】
図６は、図５の装置間の処理を示すシーケンス図である。ユーザ装置２３０はＳ−２１００により、ユーザの要求を元に情報開示要求を送信する。該情報を受けた情報出力サーバ２１０はＳ−２１０１により配信情報テーブル２１０１を更新する。以後の情報開示に関わる処理Ｓ−２２００，Ｓ−２２０１，Ｓ−２３００，Ｓ−２３０１，Ｓ−２３０２，Ｓ２４００は実施の形態１の処理と同様であり、それぞれＳ−１１００，Ｓ−１１０１，Ｓ−１２００，Ｓ−１２０１，Ｓ−１２０２，Ｓ−１３００に対応する。なお、この実施の形態では、例えば、図１５に示す通り、配信情報テーブル１１０１に宛先ネットワーク端末情報が追加された配信情報テーブル１１０１Ａを使用し、該情報に基づき開示対象情報及び開示時刻情報の送信を行う。
【００３２】
３．実施の形態３
本実施の形態では、ネットワーク端末及び伝送網を介して情報出力サーバと接続される複数のユーザ装置に対して、情報出力サーバから同時に情報開示を行う際に、伝送される情報を暗号化して伝送する伝送網システムの例を説明する。本実施の形態での実施の形態１又は実施の形態２と異なる付加的な要素・動作に関し、図７を用いて以下に説明する。なお、本実施の形態の伝送網システムの構成は実施の形態１又は実施の形態２と同様であり、図１又は図５に記載のものとする。
【００３３】
図７は、本実施の形態で記載される伝送網システムの動作を説明する図である。本実施の形態では、情報出力サーバからネットワーク端末に開示対象情報及び開示時刻情報を送信する際に、情報を暗号化して送信することにより開示対象情報の秘匿性を向上する。情報の復号化はネットワーク端末での受信時に実施するものとし、復号鍵は予め情報出力サーバから配布されているものとする。本動作を実現するために、情報出力サーバ３１０は実施の形態１又は実施の形態２の情報出力サーバ１１０の送受信処理部に暗号化処理部が付加された構成とし、ネットワーク端末３２０は実施の形態１又は実施の形態２のネットワーク端末１２０の送受信処理部に復号化処理部が付加された構成とする。
なお、開示対象情報又は開始時刻情報のいずれかのみを暗号化するようにしてもよい。
【００３４】
４．実施の形態４
本実施の形態では、ネットワーク端末及び伝送網を介して情報出力サーバと接続される複数のユーザ装置に対して、情報出力サーバから同時に情報開示を行う際に、各ネットワーク端末の開示情報正常受付応答を確認してから情報の開示を実施する伝送網システムの例を説明する。本実施の形態での実施の形態１又は実施の形態２と異なる付加的な要素・動作に関し、図８、図９を用いて以下に説明する。なお、本実施の形態の伝送網システムの構成は実施の形態１又は実施の形態２と同様であり、図１又は図５に記載のものとする。
【００３５】
図８は、本実施の形態で記載される伝送網システムの動作を説明する図である。図１７は、図８のネットワーク端末４２０の開示対象情報及び開示時刻情報受信時の動作を示すフローチャートである。図１７のフローチャートに示す通り、本実施の形態では、ネットワーク端末４２０は、情報出力サーバ４１０からの開示対象情報及び開示時刻情報を受信した際に（Ｓ１７０１）、開示情報テーブル４２０１を参照し、受信した開示時刻情報と同一の開示時刻のエントリが開示情報テーブルにないかどうか判別をする(Ｓ１７０３)。正常に受け付けられる場合(例えば同一の開示時刻に別の情報開示を行うようなエントリが存在していない場合)に、受信した開示対象情報及び開示時刻情報を元に開示情報テーブル４２０１の追加または更新を実施する（Ｓ１７０５〜Ｓ１７０９）。例えば、受信した開示対象情報と同一の開示対象情報のエントリが開示情報テーブルにある場合（Ｓ１７０５）、ネットワーク端末４２０は、該当エントリの開示時刻を受信した開示時刻情報に更新する（Ｓ１７０７）。一方、受信した開示対象情報と同一の開示対象情報のエントリが開示情報テーブルにない場合は（Ｓ１７０５）、受信した開示時刻情報及び開示時刻情報を開示情報テーブルに追加する（Ｓ１７０９）。つぎに、ネットワーク端末４２０は、開示情報正常受付応答を情報出力サーバ４１０宛に送信する（Ｓ１７１１）（Ｓ−４２０）。正常に受け付けられない場合は、例えば、受信した開示時刻情報と同一の開示時刻のエントリが開示情報テーブルにある場合(Ｓ１７０３)、ネットワーク端末４２０は、開示情報受付不可応答を情報出力サーバ４１０宛に送信する（Ｓ１７１３）。
【００３６】
図１８は、図８の情報出力サーバ４１０の動作を示すフローチャートである。情報出力サーバ４１０は、図１８のフローチャートに示す通り、配信時刻に到達したら（Ｓ１８０１）、開示対象情報及び開示時刻情報の配信後（Ｓ１８０３）、該開示対象情報の宛先ネットワーク端末全てから開示情報正常受付応答を受けた時点で（Ｓ１８０５〜Ｓ１８０９）、開示処理実行情報を宛先ネットワーク端末に送信する（Ｓ１８１７）（Ｓ−４３０）。情報出力サーバ４１０は、ステップＳ１８０５,Ｓ１８０７,Ｓ１８０９の判断により、宛先ネットワーク端末からの応答を受け付ける応答受付規定時刻（例えば開示時刻の数分前とする）までに宛先ネットワーク端末全てからの開示情報正常受付応答がない場合（Ｓ１８０５：Ｎ）や、何れかのネットワーク端末から開示情報受付不可応答を受信した場合（Ｓ１８０７：Ｎ）は、情報出力サーバ４１０は予め定められたリトライ上限に達するまで（Ｓ１８１１）配信情報テーブル４１０１の開示時刻情報を変更し（延期し）（Ｓ１８１３）、再度開示対象情報及び開示時刻情報の送信を行う（リトライ処理）（Ｓ１８０１,Ｓ１８０３）。開示時刻の変更は、例えばリトライ回数に応じて、予め定められた時間延期させる。なお、ステップＳ１８１１で、リトライ上限に達した場合は、情報出力サーバ４１０は、対象の開示情報のエントリを配信情報テーブルから削除する（Ｓ１８１７）。
【００３７】
図２０は、図８の配信情報テーブル４１０１の詳細を示す図である。本実施の形態の配信情報テーブル４１０１は、図２０に示す通り、開示時刻、配信時刻、開示対象情報、宛先ネットワーク端末に加えて、受付応答、リトライ上限、リトライ回数の情報を備えるものとする。
【００３８】
図１９は、図８のネットワーク端末４２０の開示時刻到達時の動作を示すフローチャートである。ネットワーク端末４２０は、開示処理実行情報を受信すると開示情報テーブルの該当エントリに処理実行フラグを設定する（例、［有］）。ネットワーク端末４２０は、図１９のフローチャートに示す通り、開始時刻に到達すると（Ｓ１９０１）、開示情報テーブルの各エントリについて開示時刻時点で処理実行フラグ設定済（例、［有］）の場合は（Ｓ１９０３）、対応する開示対象情報及び開示時刻情報をユーザ装置宛に送信し、エントリを削除する（Ｓ１９０５）。一方、処理実行フラグ未設定（例、「無」）の場合は（Ｓ１９０３）、ネットワーク端末４２０は、当該エントリを削除する（Ｓ１９０７）。
【００３９】
図２１は、図８の開示情報テーブル４２０１の詳細を示す図である。本実施の形態の開示情報テーブル４２０１は、図２１に示すように開示時刻、開示対象情報に加えて処理実行フラグの情報を備えるものとする。
情報開示制御に関わるその他の処理Ｓ−４１０，Ｓ−４４０，Ｓ−４５０は実施の形態１の処理と同様であり、それぞれＳ−１１０，Ｓ−１２０，Ｓ−１３０に対応する。
【００４０】
本実施の形態の動作により、何れかの伝送路またはネットワーク端末の異常時に、影響を受けないユーザ装置だけが情報開示を受ける事がなくなり、公平性の維持が可能である。また、複数の開示対象情報に同一の開示時刻が設定されていた場合に、開示時刻の変更を行い、問題なく情報開示を実施できる。情報出力サーバが単一の場合であれば、複数の開示対象情報に同一の開示時刻が設定される事象は情報出力サーバの処理で事前に回避できるが、情報出力サーバが複数ある伝送網システムに適用する場合、本実施の形態のような動作が有効である。
【００４１】
図９は、図８の装置間の処理を示すシーケンス図である。ネットワーク端末４２０は情報出力サーバ４１０からの開示対象情報及び開示時刻情報を受信すると、Ｓ−４２００により、開示情報テーブル４２０１を参照し、正常に受付可能かを判定する。その結果正常に受付可能であれば、Ｓ−４２０１により情報出力サーバ４１０宛に開示情報正常受付応答を送信する。情報出力サーバ４１０はＳ−４３００により開示情報正常受付応答を元に配信情報テーブル４１０１を更新し、開示対象のネットワーク端末全てから開示情報正常受付応答があった場合にＳ−４３０１により開示処理実行情報を宛先ネットワーク端末に送信する。開示処理実行情報を受信したネットワーク端末４２０はＳ−４４００により開示情報テーブル４２０１の該開示対象情報の処理実行フラグを設定する。開示情報テーブル４２０１を元にした情報開示制御はＳ−４４０１、Ｓ−４４０２により行うが、Ｓ−４４０１で各開示対象情報の処理実行フラグが設定されている場合に開示を行う点を除き、図３のＳ−１２０１，Ｓ−１２０２と同様である。情報開示に関わるその他の処理Ｓ−４１００，Ｓ−４５００は実施の形態１の処理と同様であり、それぞれＳ−１１００，Ｓ−１３００に対応する。
【００４２】
５．実施の形態５
本実施の形態では、ネットワーク端末及び伝送網を介して情報出力サーバと接続される複数のユーザ装置に対して、情報出力サーバから同時に情報開示を行う際に、情報開示時刻以前にユーザ装置への情報開示事前通知を行い、ユーザ装置の速やかな開示情報受信処理を可能とする伝送網システムの例を説明する。本実施の形態での実施の形態１又は実施の形態２と異なる付加的な要素・動作に関し、図１０、図１１を用いて以下に説明する。なお、本実施の形態の伝送網システムの構成は実施の形態１又は実施の形態２と同様であり、図１又は図５に記載のものとする。
【００４３】
図１０は、本実施の形態で記載される伝送網システムの動作を説明する図である。本実施の形態では、開示対象情報及び開示時刻情報を情報出力サーバ５１０から受信したネットワーク端末５２０は、ユーザ装置５３０に対し、開示時刻から予め定められた時間前（例えば、開示時刻の数分前等）に、開示時刻情報を含む事前通知情報、例えば配信元や開示対象情報種別等を送信する（Ｓ−５２０）。事前通知情報を受信したユーザ装置５３０は、開示対象情報を受信するための準備、例えば表示するためのブラウザの起動・操作や、処理するアプリケーションの起動などを行い、開示対象情報受信時の該情報の速やかな処理を実施する（Ｓ−５４０）。本動作により情報開示を受ける際の各ユーザ装置の状態の公平性を向上する。
【００４４】
図１１は、図１０の装置間の処理を示すシーケンス図である。ネットワーク端末５２０は開示対象情報及び開示時刻情報を受信すると、Ｓ−５２０１により事前通知情報をユーザ装置５３０宛に送信する。ユーザ装置５３０は事前通知情報を受け取るとＳ−５４００により、開示対象情報を受信するための準備を行い、開示対象情報を受け取るとＳ−５４０１により該情報の速やかな処理を行う。情報開示に関わるその他の処理Ｓ−５１００，Ｓ−５１０１，Ｓ−５２００，Ｓ−５３００，Ｓ−５３０１は実施の形態１の処理と同様であり、それぞれＳ−１１００，Ｓ−１１０１，Ｓ−１２００，Ｓ−１２０１，Ｓ−１２０２に対応する。
【００４５】
６．実施の形態６
本実施の形態では、ネットワーク端末及び伝送網を介して情報出力サーバと接続される複数のユーザ装置に対して、情報出力サーバから同時に情報開示を行う際に、各ユーザ装置に情報開示事前通知を行い、それらの応答を確認してから情報開示を実施する伝送網システムの例を説明する。本実施の形態での実施の形態１と異なる付加的な要素・動作に関し、図１２、図１３を用いて以下に説明する。なお、本実施の形態の伝送網システムの構成は実施の形態１と同様であり、図１に記載のものとする。
【００４６】
図１２は、本実施の形態で記載される伝送網システムの動作を説明する図である。図２２は、図１３のネットワーク端末６２０の動作を示すフローチャートである。本実施の形態では、開示対象情報及び開示時刻情報を情報出力サーバ６１０から受信した（Ｓ１７０１）ネットワーク端末６２０は、図２２のフローチャートに示す通り、図１７と同様に、開示情報テーブルを参照し、正常に受け付けられる場合、例えば同一の開示時刻に別の情報開示を行うようなエントリが存在していない場合に、受信した開示対象情報及び開示時刻情報を元に開示情報テーブル４２０１の追加または更新を実施する（Ｓ１７０３〜Ｓ１７０９）。ステップＳ１７０７又はＳ１７０９の後、ネットワーク端末４２０は、ユーザ装置６３０に対し、開示時刻から予め定められた時間前（例えば、開示時刻の数分前等）に、開示時刻情報を含む事前通知情報、例えば配信元や開示対象情報種別等を送信する（Ｓ２２０１）（Ｓ−６２０）。事前通知情報を受信したユーザ装置６３０は、開示対象情報を受信するための準備を行うとともに、事前通知情報受信応答をネットワーク端末６２０宛に送信する（Ｓ−６３０）。事前通知情報受信応答を受けた（Ｓ２２０３）ネットワーク端末６２０は、情報出力サーバ６１０宛に開示情報正常受付応答を送信する（Ｓ２２０４）。以後の情報開示に関わる処理は実施の形態４と同様に実施する。
本動作により、情報出力サーバ・ユーザ装置間の何れかの伝送路またはネットワーク端末、ユーザ装置に異常があり、正常に情報開示が受けられない場合に、情報開示を実施しない又は開示時刻を変更する処理が実現でき、ユーザ間の公平性が向上する。
【００４７】
図１３は、図１２の装置間の処理を示すシーケンス図である。ユーザ装置６３０はネットワーク端末６２０からの事前通知情報を受信時にＳ−６３００により事前通知受信応答をネットワーク端末６２０宛に送信する。ネットワーク端末６２０は事前通知受信応答を受けて開示情報正常受付応答を情報出力サーバ６１０宛に送信し、情報出力サーバ６１０は宛先ネットワーク端末全てからの開示情報正常受付応答を元に情報開示を実施する。開示情報正常受付応答を元にする情報開示については実施の形態４と同様の動作により実現する。また、事前通知を受けたユーザ装置６３０は実施の形態５と同様の動作により開示対象情報受信時の速やかな処理を実現する。具体的には、Ｓ−６１００，Ｓ−６１０１，Ｓ−６２００，Ｓ−６４００，Ｓ−６５００，Ｓ−６５０１，Ｓ−６６００，Ｓ−６６０１，Ｓ−６６０２は、Ｓ−４１００，Ｓ−４１０１，Ｓ−４２００，Ｓ−４２０１，Ｓ−４３００，Ｓ−４３０１，Ｓ−４４００，Ｓ−４４０１，Ｓ−４４０２にそれぞれ対応し、Ｓ−６２０１，Ｓ−６７００，Ｓ−６７０１は、Ｓ−５２０１，Ｓ−５４００，Ｓ−５４０１にそれぞれ対応する。
【符号の説明】
【００４８】
４０  伝送網
５０  時刻同期用基準時計
１１０  情報出力サーバ
１２０−１、１２０−ｎ  ネットワーク端末
１３０−１、１３０−ｎ  ユーザ装置
１１００  情報出力サーバ内蔵時計
１２００−１、１２００−ｎ  ネットワーク端末内蔵時計
１０００  開示対象情報及び開示時刻情報
１００１−１、１００１−ｎ  開示対象情報
【図１】
0005427840.tif 000002
【図２】
0005427840.tif 000003
【図３】
0005427840.tif 000004
【図４】
0005427840.tif 000005
【図５】
0005427840.tif 000006
【図６】
0005427840.tif 000007
【図７】
0005427840.tif 000008
【図８】
0005427840.tif 000009
【図９】
0005427840.tif 000010
【図１０】
0005427840.tif 000011
【図１１】
0005427840.tif 000012
【図１２】
0005427840.tif 000013
【図１３】
0005427840.tif 000014
【図１４】
0005427840.tif 000015
【図１５】
0005427840.tif 000016
【図１６】
0005427840.tif 000017
【図１７】
0005427840.tif 000018
【図１８】
0005427840.tif 000019
【図１９】
0005427840.tif 000020
【図２０】
0005427840.tif 000021
【図２１】
0005427840.tif 000022
【図２２】
0005427840.tif 000023